(57)【要約】  マルチユーザプレイリスト生成が提供される。ユーザが自らのプレイリストを提供する。パイチャートにおいて、各ユーザプレイリストがパイの一部として表されるように、複数のプレイリストから生成されるマルチユーザプレイリストを表すパイチャートが表示される。パイの第１部分が、ランダム又は擬似ランダムな期間にパイに関して回転効果を表示することによって、選択物が次に選択されるユーザプレイリストとして選択される。決定されたユーザプレイリストから選択物が選択され、選択された選択物が再生される。この選択物は、楽曲、音楽部分、ピクチャ、ビデオ、フィルム又はテレビ番組を含むかもしれない。ユーザプレイリストは、楽曲のリスト、ジャンル、アーチスト、又はユーザ嗜好プロファイルとしてユーザにより提供されてもよい。
2008532193.tif 000002
【特許請求の範囲】
【請求項１】
マルチユーザプレイリストを生成する方法であって、
複数のユーザプレイリストを受け付けるステップと、
パイチャートにおいて前記複数のユーザプレイリストの各ユーザプレイリストがパイチャートの一部として表されるように、前記複数のプレイリストから生成される前記マルチユーザプレイリストを表すパイチャートを表示するステップと、
当該決定が回転効果が継続するランダム又は擬似ランダムな期間により実行されるように、前記パイに関する回転効果を表示することによって、選択物が次に選択される前記ユーザプレイリストとして前記パイの第１部分を決定するステップと、
前記決定されたユーザプレイリストから前記選択物を選択し、該選択された選択物を再生するステップと、
を有する方法。
【請求項２】
前記選択物は、楽曲又は音楽ファイルを有する、請求項１記載の方法。
【請求項３】
前記選択物は、写真、ビデオ、フィルム、又はテレビ番組を有する、請求項１記載の方法。
【請求項４】
前記複数のユーザプレイリストの第１ユーザプレイリストは、楽曲、音楽のジャンル、アーチスト、作曲又は制作時期、及びユーザ嗜好プロファイルのリストの少なくとも１つとしてユーザにより提供される、請求項１記載の方法。
【請求項５】
前記回転効果は、前記パイの一部の合図として表示される固定されたポインタを有するルーレット画像としてのパイ回転を有する、請求項１記載の方法。
【請求項６】
前記回転効果は、前記パイの周りを回転するものとして表示され、前記パイの一部の合図として表示されるポインタを有する、請求項１記載の方法。
【請求項７】
前記パイの一部のサイズは、前記パイの一部により表される前記ユーザプレイリストの長さに比例するか、又は対応するユーザの選択を優先させるため前記パイの残りの部分より大きなサイズとなる、請求項１記載の方法。
【請求項８】
前記パイの各部分は、ほぼ均等なサイズとして表示される、請求項１記載の方法。
【請求項９】
前記回転効果は、ランダム又は擬似ランダムに徐々にスローダウンするように表示される、請求項１記載の方法。
【請求項１０】
前記決定されたユーザプレイリストから選択物を選択するステップは、現在再生されている選択物の少なくとも１つの特性と前記決定されたユーザプレイリストの選択物の少なくとも１つの対応する特性とを比較することによって、前記現在再生されている選択物からの気持ちの良い移行を実現するよう実行される、請求項１記載の方法。
【請求項１１】
前記少なくとも１つの特性は、ジャンル、テンポ、アーチスト、ボリューム、又は音声信号から直接計算される特徴である、請求項１０記載の方法。
【請求項１２】
最近再生された選択物のリストが維持され、
前記気持ちの良い移行は、前記選択物の繰り返される再生を最小化するよう実行される、請求項１０記載の方法。
【請求項１３】
前記決定されたユーザプレイリストから選択物を選択するステップは、前記現在再生されている選択物の少なくとも１つの特性と前記決定されたユーザプレイリストの選択物の少なくとも１つの対応する特性とを比較することによって、前記現在再生されている選択物からの気持ちの良い移行と前記現在再生されている選択物からの硬直した移行とを交互にするよう実行され、
気持ちの良い移行は、選択物の特性が類似することを伴い、硬直した移行は、気持ちの良い移行より選択物の特性の類似性が低いことを伴う、請求項１記載の方法。
【請求項１４】
十分類似した特性の選択物が前記決定されたユーザプレイリストに検出されないとき、前記決定されたユーザプレイリストの外部から移行選択物が選択され、前記移行選択物の少なくとも一部は、前記決定されたユーザプレイリスト上の次の選択された選択物の前に再生される、請求項１０記載の方法。
【請求項１５】
前記回転効果は、前記パイの次の部分を選択物が次に選択される前記ユーザプレイリストとして決定するため、前記現在再生されている選択物が再生を終了する前に表示される、請求項１記載の方法。
【請求項１６】
前記回転効果は、ユーザが新たな回転を指示すると、前記パイの次の部分を選択物が次に選択される前記ユーザプレイリストとして決定するため表示される、請求項１記載の方法。
【請求項１７】
複数のユーザプレイリストを受け付けるよう構成されるユーザプレイリストレシーバと、
パイチャートにおいて前記複数のユーザプレイリストの各ユーザプレイリストが前記パイの一部として表されるように、前記ユーザプレイリストレシーバにより受け付けされる前記複数のプレイリストから生成された前記マルチユーザプレイリストを表すパイチャートを編集するよう構成されるプレイリストコンパイラと、
当該決定が回転効果が継続するランダム又は擬似ランダムな期間により行われるように、前記パイに関する回転効果をディスプレイ上に表示することによって、選択物が次に選択される前記ユーザプレイリストとして前記パイの第１部分を決定するよう構成されるプレイリストセレクタと、
前記プレイリストセレクタによって決定された前記ユーザプレイリストから前記選択物を選択し、前記選択された選択物の再生をさせるよう構成される選択物選択装置と、
を有するマルチユーザプレイリスト生成システム。
【請求項１８】
前記装置は、音声再生システム、ＤＶＤプレーヤー、パーソナルコンピュータ及びテレビ装置の少なくとも１つと一体化される、請求項１７記載のシステム。
【請求項１９】
前記音声再生装置は、ＭＰ３プレーヤー、ＣＤプレーヤー、ミニディスクプレーヤー及びジュークボックスの少なくとも１つである、請求項１８記載のシステム。
【発明の詳細な説明】
【技術分野】
【０００１】
本発明は、プレイリストの編集及び生成、コンテンツ関連付け、表示及び選択、並びにマルチユーザプレイリストの編集の分野に関する。
【背景技術】
【０００２】
近年、人々は、各種タイプのメディアに音楽部分、映像又は音声トラックなどの多数のメディアコンテンツを蓄積してきた。プレイリストは、嗜好、テーマ、ジャンル、アーチスト又は機会に基づきユーザに自分の音楽又は他のコレクションを整理する機能を提供する。パーティなどの社交機会において、各ユーザにより使用されるプレイリストは調整される必要があり、又はユーザは何れの曲又は他の選択されたものが演奏されるかについて合意する必要がある。しばしば、次に選択するものを選択することは、バーのジュークボックスからの音楽の再生など一種の社会的行動である。
【０００３】
異なる音楽の嗜好を有する人々が、パーティ、公共スペース、家族との機会、又はホストの自宅への訪問者などにおいて一緒になると、何れの音楽を再生するかについて合意することは困難であるかもしれない。ＭＰ３、ＣＤプレーヤー、ＭｉｎｉＤｉｓｃプレーヤーなどの再生装置は、複数のユーザの好み及び嗜好に調整する手段をほとんど有しない。もちろん、ユーザはその期間について新たなプレイリストを編集することが可能であるが、これはしばしば時間のかかる処理となる可能性があり、必ずしもユーザが曲のリストとそれらを再生する順序について合意しているケースとは限らない。
【０００４】
現在、ユーザ間の反対なしに満足いく方法により複数のパーソナルプレイリストを１つの合成されたマルチユーザプレイリストに自動的に合成する方法はない。例えば、米国特許出願第２００３／０２２７４７８号は、ユーザがパーティやクラブに行き、次の曲の選択について意思表示することが可能なシステムを提供する。しかしながら、この手段は、共通のプレイリストを編集するため共通の根拠がほとんどないときには良好には機能しない。さらに、米国特許第６，６５７，１１６号は、嗜好の合成に基づくマルチユーザプレイリストの生成を提供する。しかしながら、これらの参考文献は、各ユーザにより提供されるプレイリストに基づき、プレイリストを編集することを提供するものではない。さらに、これらの参考文献は、公平かつ透過な方法によりそのようなマルチユーザプレイリストを編集することを提供するものでなく、また編集されたマルチユーザプレイリストにおける選択の移行における突然のスタイルの中断を回避するものではない。
【発明の開示】
【発明が解決しようとする課題】
【０００５】
マルチユーザプレイリスト生成システムの各機能を実現又は実行する方法、システム、デバイス、装置、及びコンピュータ可読媒体が提供される。
【課題を解決するための手段】
【０００６】
マルチユーザプレイリストは、複数のユーザプレイリストを受け付け、パイチャートにおいて前記複数のユーザプレイリストの各ユーザプレイリストがパイチャートの一部として表されるように、前記複数のプレイリストから生成される前記マルチユーザプレイリストを表すパイチャートを表示し、当該決定が回転効果が継続するランダム又は擬似ランダムな期間により実行されるように、前記パイに関する回転効果を表示することによって、選択物が次に選択される前記ユーザプレイリストとして前記パイの第１部分を決定し、前記決定されたユーザプレイリストから前記選択物を選択し、該選択された選択物を再生することにより生成されるかもしれない。
【０００７】
前記選択物は、楽曲、音楽の一部、写真、ビデオ、フィルム、又はテレビ番組を有する。
【０００８】
ユーザプレイリストは、楽曲のリスト、音楽のジャンル、アーチスト、作曲又は制作時期、及びユーザ嗜好プロファイルのリストの少なくとも１つとしてユーザにより提供されるようにしてもよい。
【０００９】
前記回転効果は、前記パイの一部の合図として表示される固定された、前記パイの周りを回転するものとして表示されるポインタを有するルーレット画像としてのパイ回転を有してもよい。
【００１０】
前記パイの一部のサイズは、前記パイの一部により表される前記ユーザプレイリストの長さに比例するか、又はパイの各部分がほぼ均等なサイズとして表示されるか、又は１以上のユーザを優先させるため調整可能とされてもよい。
【００１１】
前記回転効果は、ランダム又は擬似ランダムに徐々にスローダウンするように表示されるようにしてもよい。
【００１２】
前記決定されたユーザプレイリストから選択物を選択するステップは、現在再生されている選択物の少なくとも１つの特性と前記決定されたユーザプレイリストの選択物の少なくとも１つの対応する特性とを比較することによって、前記現在再生されている選択物からの気持ちの良い移行を実現するよう実行することが可能である。このような特性は、例えば、ジャンル、テンポ、アーチスト、ボリューム、又は音声信号から直接計算される特徴とすることが可能である。
【００１３】
最近再生された選択物のリストが維持され、前記気持ちの良い移行は、前記選択物の繰り返される再生を最小化するよう実行される。
【００１４】
前記決定されたユーザプレイリストから選択物を選択するステップは、気持ちの良い移行は、選択物の特性が類似することを伴い、硬直した移行は、気持ちの良い移行より選択物の特性の類似性が低いことを伴うように、前記現在再生されている選択物の少なくとも１つの特性と前記決定されたユーザプレイリストの選択物の少なくとも１つの対応する特性とを比較することによって、前記現在再生されている選択物からの気持ちの良い移行と前記現在再生されている選択物からの硬直した移行とを交互にするよう実行されるかもしれない。
【００１５】
十分類似した特性の選択物が前記決定されたユーザプレイリストに検出されないとき、前記決定されたユーザプレイリストの外部から移行選択物が選択され、前記移行選択物の少なくとも一部は、前記決定されたユーザプレイリスト上の次の選択された選択物の前に再生することが可能である。
【００１６】
前記回転効果は、前記パイの次の部分を選択物が次に選択される前記ユーザプレイリストとして決定するため、前記現在再生されている選択物が再生を終了する前に表示することが可能である。前記回転効果は、ユーザが新たな回転を指示すると、前記パイの次の部分を選択物が次に選択される前記ユーザプレイリストとして決定するため表示することが可能である。
【００１７】
また、マルチユーザプレイリスト生成システムが記載される。本システムは、複数のユーザプレイリストを受け付けるよう構成されるユーザプレイリストレシーバと、パイチャートにおいて前記複数のユーザプレイリストの各ユーザプレイリストが前記パイの一部として表されるように、前記ユーザプレイリストレシーバにより受け付けされる前記複数のプレイリストから生成された前記マルチユーザプレイリストを表すパイチャートを編集するよう構成されるプレイリストコンパイラと、当該決定が回転効果が継続するランダム又は擬似ランダムな期間により行われるように、前記パイに関する回転効果をディスプレイ上に表示することによって、選択物が次に選択される前記ユーザプレイリストとして前記パイの第１部分を決定するよう構成されるプレイリストセレクタと、前記プレイリストセレクタによって決定された前記ユーザプレイリストから前記選択物を選択し、前記選択された選択物の再生をさせるよう構成される選択物選択装置とを有する。
【００１８】
本システムは、音声再生システム、ＤＶＤプレーヤー、パーソナルコンピュータ及びテレビ装置の少なくとも１つと一体化されるかもしれない。前記音声再生装置は、ＭＰ３プレーヤー、ＣＤプレーヤー、ミニディスクプレーヤー及びジュークボックスの少なくとも１つであってもよい。
【発明を実施するための最良の形態】
【００１９】
以下の説明及び上記図面は、発明者によって現在最も良く理解されるような出願人の発明の実施例を記載するが、本発明の多くの改良が可能であり、本発明が、本発明の趣旨から逸脱することなく他の形式により実現され、また他の方法により実現されてもよいということが理解されるであろう。さらに、記載される実施例のいくつかの特徴は、本発明の趣旨から逸脱することなく、省略され、選択的に若しくは全体的に他の実施例と組み合わされ、又は他の実施例若しくはその一部の特徴を置換するのに利用されてもよい。従って、図面及び詳細な説明は、本発明のいくつかの側面の例示的な説明として解釈されるべきものであり、本発明の範囲を限定するものと解釈されるべきでない。
【００２０】
図１に示されるように、マルチユーザプレイリスト生成システム１−１は、後述される複数のモジュールを有する。マルチユーザプレイリスト生成システム１−１のモジュール若しくはその一部及び／又は活動関連文書管理システムの全体は、ハードウェア、ソフトウェア、ファームウェア又は上記の組み合わせから構成されてもよいが、一部のモジュールはハードウェアなどから構成され、他のモジュールはソフトウェア、ファームウェア又はそれらの組み合わせから構成されてもよい。
【００２１】
マルチユーザプレイリスト生成システム１−１のモジュールのすべてが同一の装置に配置又は一体化される必要はないということが理解されるべきである。分散化されたアーキテクチャがまた、既存の装置により提供される適切なモジュールから“ピギーバック（ｐｉｇｇｙ−ｂａｃｋ）”する活動関連文書管理システムについて考えられる。
【００２２】
以下の説明は、有線又は無線接続を介しデータベース１−２に物理的に一体化又は接続されるマルチユーザプレイリスト生成システム１−１を参照する。データベース１−２は、パーソナルコンピュータ、パーソナルビデオレコーダ、エンターテイメントシステム、エレクトロニックオーガナイザ、パーソナル携帯装置、Ｊａｚドライブのハードドライブなどの記憶装置により実現されてもよく、又はディスクドライブなどの商用の記憶装置として実現されてもよい。例えば、商用の記憶装置は、サービスプロバイダにより提供され、又はネットワークに存在する記憶スペースを含むものであってもよい。データベース１−２は、このような装置の２以上におけるコンテンツアイテムの整理又はグループ化が可能となるように、接続されるいくつかの記憶装置を含むかもしれないということは理解されるであろう。例えば、センサから求められるデータが処理されてもよい。さらに、データベースは、データベース１−２にロード及びそれにより抽出可能なＣＤ、ＤＶＤ、ｚｉｐディスク、フロッピー（登録商標）ディスク、データカートリッジなどを含むディスクなどの１以上の記憶媒体を含むものであると理解されるかもしれない。しかしながら、マルチユーザプレイリスト生成システム１−１はまた、ＬＡＮ、ＷＡＮ、インターネット、無線ネットワークなどのネットワーク（図示せず）を介しコンテンツを抽出することが可能であり、データベース１−２は、インターネットを含むネットワークなどを介しリモート接続されてもよいということが理解されるであろう。同様に、ディスプレイ１−３及び再生装置１−４がマルチユーザプレイリスト生成システム１−１に一体化されてもよく、又は上述した方法の１以上により接続されてもよい。
【００２３】
図１に示されるように、マルチユーザプレイリスト生成システム１−１は、ユーザ１（Ｕ−１）、ユーザ２（Ｕ−２）及びユーザＮ（Ｕ−Ｎ）として示される１以上のユーザからプレイリストを受け付けるユーザプレイリストレシーバ１−１１を含むいくつかのモジュールを含むかもしれない。ユーザプレイリストインタプリタ１−１２は、ユーザにより提供されるジャンル又はパーソナルプロファイルなどの嗜好又は情報に基づき、各ユーザのプレイリストを編集する。プレイリストコンパイラ１−１６は、マルチユーザプレイリストを編集する。プレイリストセレクタ１−１３は、図３においてパイ３−１１及び３−１２のスライスとして示される各プレイリストを選択する。セレクション選択装置１−１４は、プレイリストセレクタ１−１３により選択されるプレイリストから曲又は音楽若しくは音声部分などの選択物を選択する。移行コントロール１−１５は、以下で詳述されるように、現在再生されている選択物と次に再生される選択物との間の移行又はブリッジの選択を制御する。
【００２４】
図１〜３を参照して、マルチユーザ生成システム１−１の処理が説明される。ユーザ１−Ｎは、各自のプレイリストをマルチユーザプレイリスト生成システム１−１に送信する。ユーザは、ＭＰ３プレーヤー、再生装置又はマルチユーザプレイリスト生成システムなどの中央ノードに各自のプレイリストを有線又は無線によりアップロードすることによるものを含む各種方法により自らのプレイリストを提供するようにしてもよい。また、１以上のユーザは、インターネットを含むネットワークを介し各自のプレイリストを提供するようにしてもよい。このようなプレイリストは、楽曲、音楽部分若しくは他の音声情報、ビデオ、ムービー、テレビ番組、写真、ホームビデオクリップ若しくはフッテージ（ｆｏｏｔａｇｅ）、ウェブサイト、マルチメディアファイル若しくはアイテム又は他のタイプのコンテンツアイテムを有するものであってもよい。プレイリストに含まれる選択物のフォーマットは、ＭＰ３、ＪＰＥＧ、ＭＰＥＧ（上記のすべてのバージョン及びリリースを含む）を含む上述したタイプのファイル及びデータを格納又は伝達するのに適した何れかの形式を含むものであってもよい。
【００２５】
ユーザプレイリストレシーバ１−１１は、Ｓ０においてユーザプレイリストを受け付ける。この提供されたものが、Ｓ１においてユーザプレイリストインタプリタ１−１２により解釈される。例えば、１以上のユーザは、楽曲の基準、ジャンル、アーチスト、時代又は他の基準などを含むユーザ嗜好情報又はプロファイルを提供するようにしてもよい。この情報に基づき、Ｓ１において、ユーザプレイリストインタプリタ１−１２は、当該ユーザのプレイリストを編集する。上記受け付け及び解釈されたプレイリストに基づき、プレイリストコンパイラ１−１６は、（Ｓ２において）マルチユーザプレイリストを編集し、（Ｓ３において）パイチャートの形式によりマルチユーザプレイリストを表示する。ここで、パイの各スライスは、ユーザから受け付けた各プリリストの１つを表している。
【００２６】
Ｓ４において、パイチャートを表示するのに、パイの各部分が等しいサイズとして表示されるべきか、又はパイの各部分のサイズがそれらが表す各プレイリストの長さを反映しているか、プレイリストコンパイラ１−１６により決定される。これにより、等しいパイ部分が表示される場合、処理はＳ４ａに移行し、等しいサイズ部分を表示する。
【００２７】
そうでない場合、処理はＳ４ｂに移行し、パイの各部分のサイズを決定する。各部分のサイズは、各ユーザプレイリストの長さに比例するものであってもよい。従って、より長いプレイリストを提供したユーザは、マルチユーザプレイリスト生成装置１−１のプレイリストセレクタ１−１３により選択される自らのプレイリストを有する確率がより大きくなる。
【００２８】
さらに、本発明の実施例によると、Ｓ４ｃにおいて、パイの各部分は、ユーザのアイデンティティに基づき１以上のユーザについてより大きく又はより小さく表示されてもよい。例えば、誕生日を祝うユーザなどの祝福されているゲストやパーティのホストによって提供されたユーザプレイリストに対応するパイ部分は、より大きく表示されてもよく、これにより、選択はホストや誕生日のゲストの部分が優先される。同様に、ある部分は、選択された１以上のユーザの確率を減少させるためより小さく表示することも可能である。また、提供されたユーザプレイリストの長さに基づく均等でない部分のサイズ、誕生日のゲストへのバイアスに基づく均等でないパイサイズなど、上記特徴の組み合わせの選択が可能とされてもよい。
【００２９】
ほぼ均等のサイズのパイ部分と均等でないサイズのパイ部分との間の選択は、システムにおいてデフォルトとして設定され、システムによりランダム又は擬似ランダムに選択され、又はユーザにより予め設定若しくは現在選択されてもよい。例えば、所定のパーセンテージの誕生日のバイアスがデフォルトとして設定され、“誕生日ユーザ”設定が、所定のオプションとして提供されてもよい。本発明の特徴によると、ユーザは、例えば、パイの中心などパイをクリックし、又はパイの中心にマウスをドラッグすることによって、これら２つの異なるタイプのパイチャートの間で切替を行ってもよい。さらに、ユーザは、より大きく又はより小さく指定されたパーセンテージとして部分を設定し、指定された分量により部分の選択の確率を増減するなど、より詳細な制御によりパイ部分の相対的なサイズを制御することが可能とされてもよい。
【００３０】
図３に示されるように、パイチャート表示は、選択されたユーザプレイリストを表すパイ３−１１の部分を示すポインタ３−２を有するルーレット３−１の外観を有するかもしれない。
【００３１】
マルチユーザプレイリスト生成システム１−１は、ここでルーレットの回転をシミュレートするパイチャートの回転効果を表示する。この回転効果はまた、図３の動き矢印３−３により示される方向にパイチャートの周りのポインタ３−２０の回転によっても実現でき、このとき、パイは、パイの周りを回転するように示されるポインタを有する実質的に静止したルーレットとして表示されるかもしれない。あるいは、パイとポイントの双方が、例えば反対方向に（時計回りと反時計回りなど）回転するように示されてもよい。従って、この回転効果は、パイチャートの周りのポインタ３−２０の回転として又はルーレットを模倣したパイチャートの回転として参照されるかもしれない。矢印３−３は、時計回りの方向への回転効果方向を示すが、反時計回りの方向への回転効果もまた表示されてもよいということは理解されるであろう。
【００３２】
Ｓ５において、プレイリストセレクタ１−１３は、表示される回転効果を制御する。この回転効果は、ランダム又は擬似ランダムな期間に表示されるかもしれない。回転効果が停止すると、ポインタ３−２が示すパイのスライスは、それのユーザプレイリストから次の選択が行われるスライスとなるであろう。本発明の特徴によると、回転効果は、ランダム又は擬似ランダムな期間において徐々にスローダウンし、最終的には、ポインタ３−２がパイ部分３−１１及び３−１２を示すことによって停止する。
【００３３】
本発明の実施例によると、Ｓ６において、選択された選択物が現在再生されている選択物とあまりに類似性を欠くことがないように、移行コントロールにより気持ちの良い移行が提供されるかもしれない。Ｓ６において、移行コントローラ１−１５は、現在再生されている楽曲と次に選択される選択物との間の移行を制御する。例えば、現在再生されている選択物により選択されたユーザプレイリストの選択物を比較するため、差分ベクトルが生成される。このような差分ベクトルは、ジャンル、テンポ、アーチスト、時代又はボリュームなどのメタデータ情報の類似性に基づくものであってもよいし、又は音声信号から直接計算された特徴若しくは上記の２以上の組み合わせに基づくものであってもよい。このとき、選択されたプレイリストからの選択物は、生成された差分ベクトルに基づく気持ちの良い移行、すなわち、次の選択物が現在再生されている選択物と全く異なってはいない移行を実現するよう選択される。
【００３４】
本発明の実施例によると、このような気持ちの良い移行は、制御されていない移行又は故意に“気持ちの良くない”又は硬直した移行により変更可能であり、ここでは、現在再生されている選択物と次の選択物との間の移行は、次の選択物が現在再生されている選択物にそれほど類似していないため、ユーザにとってより驚くべきものとなる。
【００３５】
本発明のさらなる実施例によると、選択されたプレイリスト上の選択物の何れも、気持ちの良い移行を実行するのに現在再生されている選択物と十分には類似していないとき、“移行選択物”が再生のため移行コントローラ１−１５により選択される。この移行選択物又はその一部は、その後に現在再生されている選択物と選択されたプレイリストの次の選択物との間に再生されてもよい。例えば、移行選択物は、選択されていないユーザプレイリストから選択されてもよく、又はプレイリストの何れにもない選択物であってもよい。その後、この移行選択物が再生され、気持ちの良い又はスムーズな移行が実現可能となる。移行選択物が再生されると、例えば、ユーザの混乱を回避するため、ディスプレイ１−３上への不適切な通知又は表示を表示することによって、ユーザに通知されてもよい。
【００３６】
さらに、最近再生された選択物のリストが、最近再生された選択物の頻繁な繰り返しを回避するため維持することが可能である。このような保存された選択物の長さは、最近再生された選択物のうちの１０又は２０個に限定されてもよい。
【００３７】
現在再生されている選択物が終了又は終了間際になると、次の選択物の選択を開始するため、回転効果が自動的に再スタートする。また、回転効果は、次の選択物に対するユーザコマンドに応答して再スタートされてもよい。例えば、ユーザは、回転効果をスタートし、次の選択物の選択を開始するため、ディスプレイ１−３上のアイコンを選択し、又はパイチャート３−１をクリックしてもよい。
【００３８】
Ｓ８において、選択された選択物を再生するため、信号が再生装置１−２に送信される。このとき、Ｓ９において、処理が終了したか判断される。例えば、マルチユーザプレイリスト生成装置１−１が、マルチユーザプレイリスト３−１上には再生される選択物が残っていないと判断するとき、又はユーザがマルチユーザプレイリスト生成装置１−１の処理を終了したときなどに、処理の終了に到達する。処理の終了に到達した場合、Ｓ１０において、処理は停止される。そうでない場合、処理はＳ３に続き、再びパイチャートが表示される。上述されるように、本発明の実施例によると、現在再生されている選択物のエンドに到達する前に、回転効果が即座に開始されてもよい。
【００３９】
このようにして、プレイリストが編集され、ユーザにより提供された各プレイリストに基づき、公平かつ透過な方法により選択物が選ばれる。
【００４０】
上記説明により提供された本発明の実施例は、単なる例示的な実施例として意図されている。しかしながら、本発明の範囲は請求項に与えられるということは理解されるであろう。
【図面の簡単な説明】
【００４１】
【図１】図１は、マルチユーザプレイリスト生成システムの実施例の概略図である。
【図２】図２は、本発明によるシステムの処理を示すフローチャートである。
【図３】図３は、本発明の実施例によるマルチユーザプレイリスト生成システムにより生成されるパイチャートの一例である。
【図１】
2008532193.tif 000003
【図２】
2008532193.tif 000004
【図３】
2008532193.tif 000005
【国際調査報告】
2008532193.tif 000006
2008532193.tif 000007
2008532193.tif 000008